(57)【要約】【課題】種々の状態で極めて便利に使用できる多機能カバーを提供する。【解決手段】多機能カバーは、表面を防水加工してなる第１シート１１と第２シート１２を左右に並べて配置している。多機能カバーは、第１脱着連結具１Ａの雄型連結具１ａと雌型連結具１ｂとを連結して第１シート１１で第１筒部２１を形成して、この第１筒部２１でユーザーの一方の足を被覆し、第２脱着連結具１Ｂの雄型連結具１ａと雌型連結具１ｂとを連結して第２シート１２で第２筒部２２を形成して、この第２筒部２２でユーザーの他方の足を被覆し、第３脱着連結具１Ｃの雄型連結具１ａと雌型連結具１ｂとを連結して第１シート１１と第２シート１２の上部で第３筒部２３を形成して、この第３筒部２３でユーザーの胴部の下部を被覆して、ユーザーの下半身をカバーするようにしている。【選択図】図１
2006097219.tif 000002
【特許請求の範囲】
【請求項１】
以下の全ての構成を有することを特徴とする多機能カバー。
（ａ）  多機能カバーは、表面を防水加工してなる第１シート(11)と第２シート(12)を備える。
（ｂ）  第１シート(11)と第２シート(12)は左右に並べて配置されており、互いの内側縁の上端部を連結している。
（ｃ）  第１シート(11)は、雄型連結具(1a)と雌型連結具(1b)とからなる第１脱着連結具(1A)を備え、第１シート(11)の一方の側縁に沿って雄型連結具(1a)を、他方の側縁に沿って雌型連結具(1b)をそれぞれ固定している。
（ｄ）  第２シート(12)は、雄型連結具(1a)と雌型連結具(1b)とからなる第２脱着連結具(1B)を備え、第２シート(12)の一方の側縁に沿って雌型連結具(1b)を、他方の側縁に沿って雄型連結具(1a)をそれぞれ固定している。
（ｅ）  第１シート(11)と第２シート(12)は、互いの外側縁の上端部に、第３脱着連結具(1C)を備える。
（ｆ）  第３脱着連結具(1C)は雄型連結具(1a)と雌型連結具(1b)とを備え、一方を第１シート(11)に、他方を第２シート(12)に固定している。
（ｇ）  多機能カバーは、第１脱着連結具(1A)の雄型連結具(1a)と雌型連結具(1b)とを連結して第１シート(11)で第１筒部(21)を形成して、この第１筒部(21)でユーザーの一方の足を被覆し、第２脱着連結具(1B)の雄型連結具(1a)と雌型連結具(1b)とを連結して第２シート(12)で第２筒部(22)を形成して、この第２筒部(22)でユーザーの他方の足を被覆し、第３脱着連結具(1C)の雄型連結具(1a)と雌型連結具(1b)とを連結して第１シート(11)と第２シート(12)の上部で第３筒部(23)を形成して、この第３筒部(23)でユーザーの胴部の下部を被覆して、ユーザーの下半身をカバーするようにしている。
【請求項２】
第１シート(11)の内側縁に沿って雄型連結具(1a)を配置すると共に、第２シート(12)の内側縁に沿って雌型連結具(1b)を配置しており、
第１脱着連結具(1A)の雄型連結具(1a)と第２脱着連結具(1B)の雌型連結具(1b)とを連結して、第１シート(11)と第２シート(12)の内側縁を互いに連結して、連結された第１シート(11)と第２シート(12)とでユーザーの半身をカバーするようにしてなる請求項１に記載される多機能カバー。
【請求項３】
第１シート(11)が外側縁に沿って雌型連結具(1b)を配置すると共に、第２シート(12)が外側縁に沿って雄型連結具(1a)を配置しており、
第１脱着連結具(1A)の雌型連結具(1b)と第２脱着連結具(1B)の雄型連結具(1a)とを連結して、第１シート(11)と第２シート(12)の外側縁を互いに連結すると共に、第３脱着連結具(1C)の雄型連結具(1a)と雌型連結具(1b)とを連結して、第１シート(11)と第２シート(12)の外側縁の上部を互いに連結し、連結された第１シート(11)と第２シート(12)とでユーザーの半身をカバーするようにしてなる請求項１に記載される多機能カバー。
【請求項４】
第１脱着連結具(1A)と第２脱着連結具(1B)がファスナーである請求項１ないし３のいずれかに記載される多機能カバー
【請求項５】
以下の全ての構成を有することを特徴とする多機能カバー。
（ａ）  多機能カバーは、表面を防水加工してなる第１カバー(31)と第２カバー(32)と中間カバー(33)とを備える。
（ｂ）  第１カバー(31)と第２カバー(32)は、合同な形状であって、四角形の両側縁の上または下の端部に、両側方向に突出する突出部(34)を有する形状としている。
（ｃ）  第１カバー(31)と第２カバー(32)は、雄型連結具(1a)と雌型連結具(1b)とからなる脱着連結具(1)を備える。
（ｄ）  第１カバー(31)と第２カバー(32)は、第１の側縁に沿って雄型連結具(1a)を、第２の側縁に沿って雌型連結具(1b)をそれぞれ固定している。
（ｅ）  中間カバー(33)は帯状であって、両端部の裏面に、第１カバー(31)と第２カバー(32)の一方、又は両方の突出部(34)を収納する収納部(35)を設けている。
（ｆ）  中間カバー(33)は、連結部材(39)を備え、この連結部材(39)を介してユーザーの胴部に脱着できるようにしている。
（ｇ）  多機能カバーは、第１カバー(31)と第２カバー(32)の一方、又は両方の突出部(34)を中間カバー(33)の収納部(35)に収納してこれらを互いに連結する状態で、中間カバー(33)を胴部に装着してエプロンとして使用し、第１カバー(31)と第２カバー(32)と中間カバー(33)とを分離する状態で、第１カバー(31)と第２カバー(32)の一方、又は両方を、雄型連結具(1a)と雌型連結具(1b)とを連結して筒状に形成し、突出部(34)側の筒部で履物の周縁部をカバーし、突出部(34)と反対側の筒部でユーザーの足元をカバーする履物カバーとして使用する構造としている。
【請求項６】
脱着連結具(1)がファスナーである請求項５に記載される多機能カバー。
【請求項７】
第１カバー(31)と第２カバー(32)が、突出部(34)側の端部の裏面側に、履物(60)の外周面に沿うループ部(52)を備えており、このループ部(52)は伸縮性を有しており、このループ部(52)の内側に履物(60)を挿入した状態で、ループ部(52)の収縮力で履物(60)の外周面に密着させる請求項５に記載される多機能カバー。
【請求項８】
ループ部(52)が内周面に吸着部材(54)を備えている請求項７に記載される多機能カバー。
【発明の詳細な説明】
【技術分野】
【０００１】
本発明は、ユーザーが身体に装着して雨等による浸水を防止するカバーに関し、多種多様に使用できる多機能カバーに関する。
【背景技術】
【０００２】
ユーザーが身体に装着して、雨等による浸水を防止する雨具や防水具は種々の構造のものが開発されている（特許文献１ないし４参照）。これらの公報に記載される雨具や防水具は、ズボンやシューズ、あるいは上半身のカバーとして便利に使用できる特長がある。
【特許文献１】特開２０００−１６０４１１号公報
【特許文献２】特開２０００−１９２３０５号公報
【特許文献３】実開平０６−０８６５０７号公報
【特許文献４】特開２００１−２００４１０号公報
【発明の開示】
【発明が解決しようとする課題】
【０００３】
しかしながら、以上の公報に記載されるカバーは、単一の目的にしか使用できず、種々の状態で使用することができない。たとえば、防水カバーは、種々の目的に使用できる構造とすると、極めて便利に使用できる。しかしながら種々の機能を有する多機能カバーは、未だ開発されていない。
【０００４】
本発明は、従来の雨具や防水具が有するこれらの欠点を解決するために開発されたものである。本発明は、単一の使用方法だけでなく、種々の状態で極めて便利に使用できる多機能カバーを提供することにある。
【課題を解決するための手段】
【０００５】
本発明の請求項１の多機能カバーは、以下の全ての構成を有することを特徴としている。
（ａ）  多機能カバーは、表面を防水加工してなる第１シート１１と第２シート１２を備える。
（ｂ）  第１シート１１と第２シート１２は左右に並べて配置されており、互いの内側縁の上端部を連結している。
（ｃ）  第１シート１１は、雄型連結具１ａと雌型連結具１ｂとからなる第１脱着連結具１Ａを備え、第１シート１１の一方の側縁に沿って雄型連結具１ａを、他方の側縁に沿って雌型連結具１ｂをそれぞれ固定している。
（ｄ）  第２シート１２は、雄型連結具１ａと雌型連結具１ｂとからなる第２脱着連結具１Ｂを備え、第２シート１２の一方の側縁に沿って雌型連結具１ｂを、他方の側縁に沿って雄型連結具１ａをそれぞれ固定している。
（ｅ）  第１シート１１と第２シート１２は、互いの外側縁の上端部に、第３脱着連結具１Ｃを備える。
（ｆ）  第３脱着連結具１Ｃは雄型連結具１ａと雌型連結具１ｂとを備え、一方を第１シート１１に、他方を第２シート１２に固定している。
（ｇ）  多機能カバーは、第１脱着連結具１Ａの雄型連結具１ａと雌型連結具１ｂとを連結して第１シート１１で第１筒部２１を形成して、この第１筒部２１でユーザーの一方の足を被覆し、第２脱着連結具１Ｂの雄型連結具１ａと雌型連結具１ｂとを連結して第２シート１２で第２筒部２２を形成して、この第２筒部２２でユーザーの他方の足を被覆し、第３脱着連結具１Ｃの雄型連結具１ａと雌型連結具１ｂとを連結して第１シート１１と第２シート１２の上部で第３筒部２３を形成して、この第３筒部２３でユーザーの胴部の下部を被覆して、ユーザーの下半身をカバーするようにしている。
本明細書において、上下左右の向きは、図面における上下左右と等しいものとする。
【０００６】
本発明の多機能カバーは、第１シート１１の内側縁に沿って雄型連結具１ａを配置すると共に、第２シート１２の内側縁に沿って雌型連結具１ｂを配置することができる。この多機能カバーは、第１脱着連結具１Ａの雄型連結具１ａと第２脱着連結具１Ｂの雌型連結具１ｂとを連結して、第１シート１１と第２シート１２の内側縁を互いに連結して、連結された第１シート１１と第２シート１２とでユーザーの半身をカバーすることができる。
【０００７】
本発明の多機能カバーは、第１シート１１の外側縁に沿って雌型連結具１ｂを配置すると共に、第２シート１２の外側縁に沿って雄型連結具１ａを配置することができる。この多機能カバーは、第１脱着連結具１Ａの雌型連結具１ｂと第２脱着連結具１Ｂの雄型連結具１ａとを連結して、第１シート１１と第２シート１２の外側縁を互いに連結すると共に、第３脱着連結具１Ｃの雄型連結具１ａと雌型連結具１ｂとを連結して、第１シート１１と第２シート１２の外側縁の上部を互いに連結し、連結された第１シート１１と第２シート１２とでユーザーの半身をカバーすることができる。
【０００８】
さらに、本発明の請求項４の多機能カバーは、請求項１ないし３のいずれかに記載される多機能カバーであって、第１脱着連結具１Ａと第２脱着連結具１Ｂとをファスナーとすることができる。
【０００９】
本発明の請求項５の多機能カバーは、以下の全ての構成を有することを特徴としている。
（ａ）  多機能カバーは、表面を防水加工してなる第１カバー３１と第２カバー３２と中間カバー３３とを備える。
（ｂ）  第１カバー３１と第２カバー３２は、合同な形状であって、四角形の両側縁の上または下の端部に、両側方向に突出する突出部３４を有する形状としている。
（ｃ）  第１カバー３１と第２カバー３２は、雄型連結具１ａと雌型連結具１ｂとからなる脱着連結具１を備える。
（ｄ）  第１カバー３１と第２カバー３２は、第１の側縁に沿って雄型連結具１ａを、第２の側縁に沿って雌型連結具１ｂをそれぞれ固定している。
（ｅ）  中間カバー３３は帯状であって、両端部の裏面に、第１カバー３１と第２カバー３２の一方、又は両方の突出部３４を収納する収納部３５を設けている。
（ｆ）  中間カバー３３は、連結部材３９を備え、この連結部材３９を介してユーザーの胴部に脱着できるようにしている。
（ｇ）  多機能カバーは、第１カバー３１と第２カバー３２の一方、又は両方の突出部３４を中間カバー３３の収納部３５に収納してこれらを互いに連結する状態で、中間カバー３３を胴部に装着してエプロンとして使用し、第１カバー３１と第２カバー３２と中間カバー３３とを分離する状態で、第１カバー３１と第２カバー３２の一方、又は両方を、雄型連結具１ａと雌型連結具１ｂとを連結して筒状に形成し、突出部３４側の筒部で履物の周縁部をカバーし、突出部３４と反対側の筒部でユーザーの足元をカバーする履物カバーとして使用する構造としている。
【００１０】
本発明の請求項６の多機能カバーは、請求項５に記載される多機能カバーであって、脱着連結具１をファスナーとすることができる。
【００１１】
本発明の請求項７の多機能カバーは、請求項５に記載される多機能カバーであって、第１カバー３１と第２カバー３２が、突出部３４側の端部の裏面側に、履物６０の外周面に沿うループ部５２を備えている。このループ部５２は伸縮性を有しており、このループ部５２の内側に履物６０を挿入した状態で、ループ部５２の収縮力で履物６０の外周面に密着させている。
【００１２】
本発明の請求項８の多機能カバーは、請求項７に記載される多機能カバーであって、ループ部５２が内周面に吸着部材５４を備えている。
【発明の効果】
【００１３】
本発明の多機能カバーは、種々の状態で使用して、極めて便利使用できる特長がある。それは、本発明の請求項１の多機能カバーが、第１シートと第２シートを、複数の脱着連結具を介して連結しており、これらの脱着連結具の連結状態によって種々の構造に変更できるからである。とくに、本発明の請求項２と請求項３の多機能カバーは、脱着連結具の雄型連結具と雌型連結具との連結状態を変更するという極めて簡単な構造で、種々の機能を実現できる特長がある。
【００１４】
さらに、本発明の請求項５の多機能カバーは、第１カバーと第２カバーと中間カバーとを互いに連結する状態でエプロンとして使用できると共に、これらを分離する状態で、第１カバーと第２カバーとを、各々の脱着連結具を連結して履物カバーとして使用できるので、極めて簡単な構造で、異なる機能を実現して便利に使用できる特長がある。
【００１５】
とくに、本発明の請求項６の多機能カバーは、第１カバーと第２カバーを履物カバーとして使用するときに、伸縮するループ部の収縮力で履物の外周面に密着させるので、第１カバーと第２カバーを履物にしっかりと装着できる特長がある。さらに、本発明の請求項７の多機能カバーは、ループ部の内周面に吸着部材を備えているので、この吸着部材を介してループ部を履物の外周面に吸着させて、履物に装着したループ部がずれるのを確実に防止できる特長がある。
【発明を実施するための最良の形態】
【００１６】
以下、本発明の実施例を図面に基づいて説明する。ただし、以下に示す実施例は、本発明の技術思想を具体化するための多機能カバーを例示するものであって、本発明は多機能カバーを以下のものに特定しない。
【００１７】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１８】
本発明の多機能カバーは、複数のシート材またはカバー材を備えており、これらの連結状態、あるいは連結する組み合わせを種々に変更して、様々な用途に使用できる構造としている。
【００１９】
本発明の多機能カバーは、主として、雨よけ、水よけ等の雨具や防水具として使用するものである。したがって、シート材またはカバー材には、表面を防水加工してなる基材を使用する。シート材またはカバー材に使用する基材には、プラスチックシート、あるいは裏地の表面にプラスチックシートを積層したもの、あるいは表面を防水加工してなる布地等が使用できる。
【００２０】
以下、本発明の多機能カバーの実施例を図面に基づいて詳細に説明する。
図１ないし図４に示す多機能カバーは、表面を防水加工してなる第１シート１１と第２シート１２と、これらを脱着自在に連結する複数の脱着連結具１とを備える。
【００２１】
第１シート１１と第２シート１２は、前述の表面を防水加工してなるシート材を、所定の形状である帯状に裁断したものである。第１シート１１と第２シート１２は、図１に示すように、左右に並べて配置している。図において、向かって左側に第１シート１１を、右側に第２シート１２を配置している。ただ、第１シートと第２シートは、左右を逆に配置できるのはいうまでもない。
【００２２】
第１シート１１と第２シート１２は、互いの内側縁の上端部を連結しており、この連結部１３を軸として左右対称の形状としている。図に示す第１シート１１と第２シート１２は、互いの内側縁の上端部を縫着して固定している。ただ、第１シートと第２シートは、互いの内側縁の上端部を、接着して連結することも、あるいは、脱着できるように連結することもできる。
【００２３】
さらに、図に示す第１シート１１と第２シート１２は、上端縁に沿って、袋部１４を設けて、この袋部１４の内部にゴム紐１５を配設している。このように、第１シート１１と第２シート１２の上端縁に沿ってゴム紐１５を配設してなる多機能カバーは、この部分を弾性的に伸縮できるので、体型が異なるユーザーが使用する状態においても、多少の誤差を吸収しながら身体に密着する状態で装着できる特長がある。
【００２４】
第１シート１１と第２シート１２は、両側縁に沿って脱着連結具１を設けている。脱着連結具１は、第１シート１１の両側縁に沿って配設される第１脱着連結具１Ａと、第２シート１２の両側縁に沿って配設される第２脱着連結具１Ｂと、第１シート１１と第２シート１２の外側縁の上端部に沿って配設される第３脱着連結具１Ｃとを備える。
【００２５】
これらの脱着連結具１は、脱着自在な連結具であり、少なくとも形状や構造、機構等が異なる雄型連結具１ａと雌型連結具１ｂとからなる。雄型連結具１ａと雌型連結具１ｂは、互いに脱着される脱着連結具１の対を成す連結具である。脱着連結具１には、たとえば、ファスナー、ホック、面ファスナー、ボタン等が使用できる。ただ、脱着連結具は、これら以外の連結具であって、雄型連結具と雌型連結具を嵌合させて連結できる他の全ての連結具とすることもできる。
【００２６】
図の第１シート１１と第２シート１２は、ファスナーである脱着連結具１を備える。ファスナーである脱着連結具１は、図５に示すように、開閉用の金具２を備える側を雄型連結具１ａとし、この雄型連結具１ａの金具２に挿入される挿入片３を端縁に備えている側を雌型連結具１ｂとしている。ファスナーである脱着連結具１は、図５に示すように、連結部分である挿入片３や嵌合部４と、これらを端縁に固定してなる布地部４とを備え、この布地部４を第１シート１１と第２シート１２の側縁に沿って固定している。ファスナーである脱着連結具１は、たとえば、この布地部４を縫着あるいは接着して第１シート１１と第２シート１２に固定することができる。
【００２７】
図示しないが、ホックである脱着連結具は、連結凸部側の連結具を雄型連結具とし、連結凹部側の連結具を雌型連結具とする。ホックである脱着連結具は、第１シート及び第２シートに所定の間隔で固定される。また、面ファスナーである脱着連結具は、表面が鉤状のものを雄型連結具とし、表面が輪状のものを雌型連結具とする。面ファスナーである脱着連結具は、第１シート及び第２シートに線状に固定され、あるいは所定の間隔で固定される。
【００２８】
第１シート１１は、雄型連結具１ａと雌型連結具１ｂとからなる第１脱着連結具１Ａを備えている。第１シート１１は、一方の側縁に沿って雄型連結具１ａを固定し、他方の側縁に沿って雌型連結具１ｂを固定している。この構造の第１シート１１は、図２に示すように、第１脱着連結具１Ａの雄型連結具１ａと雌型連結具１ｂとを連結して第１シート１１で第１筒部２１を形成するようにしている。第１シート１１は、この第１筒部２１でユーザーの一方の足（たとえば右足）を被覆する状態に連結される。
【００２９】
第２シート１２は、雄型連結具１ａと雌型連結具１ｂとからなる第２脱着連結具１Ｂを備えている。第２シート１２は、一方の側縁に沿って雌型連結具１ｂを固定し、他方の側縁に沿って雄型連結具１ａを固定している。この構造の第２シート１２は、図３に示すように、第２脱着連結具１Ｂの雄型連結具１ａと雌型連結具１ｂとを連結して第２シート１２で第２筒部２２を形成するようにしている。第２シート１２は、この第２筒部２２でユーザーの他方の足（たとえば左足）を被覆する状態に連結される。
【００３０】
図の第１脱着連結具１Ａと第２脱着連結具１Ｂは、ファスナーの金具２を下方から上方へと移動させると、雄型連結具１ａと雌型連結具１ｂとが互いに連結されるように配置している。ただ、第１脱着連結具と第２脱着連結具は、ファスナーの金具を上方から下方へと移動させると、雄型連結具と雌型連結具とが互いに連結されるように配置することもできる。
【００３１】
さらに、第１シート１１と第２シート１２は、互いの外側縁の上端部に、第３脱着連結具１Ｃを備えている。第３脱着連結具１Ｃは、雄型連結具１ａと雌型連結具１ｂとを備え、一方を第１シート１１に、他方を第２シート１２に固定している。第１シート１１と第２シート１２は、第３脱着連結具１Ｃの雄型連結具１ａと雌型連結具１ｂとを連結する状態で、第１シート１１と第２シート１２の上部で第３筒部２３を形成するようにしている。第１シート１１と第２シート１２は、この第３筒部２３でユーザーの胴部を被覆できるようにしている。
【００３２】
図の第３脱着連結具１Ｃは、雄型連結具１ａを第１シート１１に、雌型連結具１ｂを第２シート１２に配設している。さらに、図の第３脱着連結具１Ｃは、ファスナーの金具２を上方から下方へと移動させると、雄型連結具１ａと雌型連結具１ｂとが互いに連結されるように配置している。ただ、第３脱着連結具は、雄型連結具を第２シートに、雌型連結具を第１シートに配設することも、ファスナーの金具を下方から上方へと移動させると、雄型連結具と雌型連結具とが互いに連結されるように配置することもできる。
【００３３】
さらに、図１に示す第１シート１１は、内側縁に沿って雄型連結具１ａを、外側縁に沿って雌型連結具１ｂを配置しており、第２シート１２は、内側縁に沿って雄型連結具１ａを、外側縁に沿って雌型連結具１ｂを配置している。すなわち、第１シート１１と第２シート１２の対向する内側縁に、互いに対を成す脱着連結具１を配置すると共に、第１シート１１と第２シート１２の対向する外側縁に、互いに対を成す脱着連結具１を配置している。この構造は、第１脱着連結具１Ａと第２脱着連結具１Ｂに同一のものを使用することによって、互いに対向する位置の脱着連結具１同士を連結できる。
【００３４】
この構造の多機能カバーは、図６に示すように、第１脱着連結具１Ａの雄型連結具１ａと第２脱着連結具１Ｂの雌型連結具１ｂとを連結して、第１シート１１と第２シート１２の内側縁を互いに連結することができる。また、図示しないが、第１脱着連結具の雌型連結具と第２脱着連結具の雄型連結具とを連結して、第１シートと第２シートの外側縁を互いに連結することもできる。このように、第１シート１１と第２シート１２を互いの内側縁で連結し、あるいは互いの外側縁で連結する多機能カバーは、連結される第１シート１１と第２シート１２とで形成される面を広くして、より広い範囲を被覆して防水できる特長がある。これらの多機能カバーは、たとえば、連結された第１シート１１と第２シート１２をユーザーの前方に位置する状態で装着してエプロンとして使用し、あるいは、連結された第１シート１１と第２シート１２を上半身の後方に位置する状態で装着してマントとして使用することもできる。さらに、被覆する面積を広くできる多機能カバーは、必ずしもユーザーの身体に装着することなく、種々のものに被せて使用することもできる。この多機能カバーは、たとえば、自転車やオートバイ等の座部や荷台部を被覆してこれらを防水することもできる。
【００３５】
さらに、この構造の多機能カバーは、図７に示すように、第１シート１１と第２シート１２の互いの内側縁を連結すると共に、互いの外側縁を連結して、全体でひとつの筒部を形成して第４筒部２４とすることができる。この多機能カバーは、第３脱着連結具１Ｃの雄型連結具１ａと雌型連結具１ｂとを連結して、第１シート１１と第２シート１２の上部で第３筒部２３を形成し、第４筒部２４と第３筒部２３とでユーザーの半身を被覆することができる。この多機能カバーは、たとえば、スカートや着物等を着用しているユーザーの下半身を被覆して、防水できる使用できる。
【００３６】
さらに、この構造の多機能カバーは、図示しないが、第１脱着連結具と第２脱着連結具を連結することなく第３脱着連結具のみを連結し、第１シートと第２シートの上部で第３筒部を形成し、この第３筒部を介してユーザーに装着する状態で使用することもできる。この多機能カバーは、第１シートと第２シートのいずれか一方を前方に配置して、他方を後方に配置する状態で使用して、第１シートと第２シートで前掛けと後掛けを構成することができる。この多機能カバーは、第１シートと第２シートの側縁であって、ユーザーの左右に位置する部分を脱着連結具で連結しないので、この部分をスリットとして開口する状態でユーザーが装着できる。この多機能カバーは、下半身を被覆するエプロンとして使用する用途においては、左右のスリットを開いてスムーズに歩行できる特長がある。また、この多機能カバーは、上半身を被覆するマントとして使用する用途においては、左右のスリットから両腕を突出させて、両手を自由に動かすことができる特長がある。
【００３７】
さらに、図に示す第１シート１１と第２シート１２は、上端部の外側縁部に一対の連結紐１６を固定している。この構造の多機能カバーは、連結紐１６を結んで、極めて簡単に身体に装着できる特長がある。
【００３８】
以上の構造の多機能カバーは、以下のようにして使用する。
［ズボン用のカバーとして使用するとき］
(1)  ユーザーの一方の足（たとえば右足）の後方に第１シート１１を、他方の足（たとえば左足）の後方に第２シート１２を位置させる。このとき、第１シート１１と第２シート１２の連結部１３は、ユーザーのお尻に位置させる。
(2)  第１シート１１の両側縁に位置する雄型連結具１ａと雌型連結具１ｂとを互いに連結し、第１シート１１で筒状の第１筒部２１を形成して、ユーザーの一方の足（たとえば右足）を筒状の第１シート１１で被覆する。
(3)  第２シート１２の両側縁に位置する雄型連結具１ａと雌型連結具１ｂとを互いに連結し、第２シート１２で筒状の第２筒部２２を形成して、ユーザーの他方の足（たとえば左足）を筒状の第２シート１２で被覆する。
(4)  第１シート１１と第２シート１２の外側縁の上端部に設けた第３脱着連結具１Ｃの雄型連結具１ａと雌型連結具１ｂとを連結する。第１シート１１と第２シート１２の上部は、縫着された連結部１３と第３脱着連結具１Ｃとを介して筒状に連結されて第３筒部２３を形成し、この第３筒部２３でユーザーの胴部の下部を被覆する。
(5)  以上のようにして、第１シート１１でユーザーの一方の足（たとえば右足）を、第２シート１２でユーザーの他方の足（たとえば左足）を、第１シート１１と第２シート１２の上端部でユーザーの胴部の下部を被覆してズボン用のカバーとして使用する。
【００３９】
以上の構造の多機能カバーは、従来の雨具のように足を持ち上げて辛い姿勢で筒部に通すことなく、両足で立ったままの楽な姿勢で足の周囲を第１シート及び第２シートで被覆できる特長がある。また、この多機能カバーは、脱ぐときにおいても、両足で立ったままの楽な姿勢で第１シート及び第２シートを取り外すことができるので、第１シートと第２シートの内面を濡れた履物で汚すことなく脱ぐことができる。とくに、この構造の多機能カバーは、健常者だけでなく、足の不自由な障害者や老人等の介護が必要なユーザーにも簡単且つ楽に装着できる特長がある。
【００４０】
［エプロン又はマントとして使用するとき］
本発明の多機能カバーをエプロン又はマントとして使用する場合は、以下の３通りの使用例がある。
〈第１の使用例〉
(1)  図６に示すように、第１脱着連結具１Ａの雄型連結具１ａと第２脱着連結具１Ｂの雌型連結具１ｂとを連結して、第１シート１１と第２シート１２の内側縁を互いに連結する。第１シート１１と第２シート１２は、１枚のシート状に連結される。
(2)  シート状に連結された第１シート１１と第２シート１２とをユーザーの下半身の前方に位置させる状態でユーザーの胴部に装着してエプロンとして使用する。
さらに、シート状に連結された第１シート１１と第２シート１２とをユーザーの上半身の後方に位置させる状態でユーザーの肩部に装着してマントとして使用することもできる。
このとき、多機能カバーは、連結紐１６を介してユーザーに装着することも、第３脱着連結具１Ｃを連結して、第１シート１１と第２シート１２の外側縁の上端部を互いに連結する状態でユーザーに装着することもできる。
【００４１】
〈第２の使用例〉
(1)  第１脱着連結具１Ａの雌型連結具１ｂと第２脱着連結具１Ｂの雄型連結具１ａとを連結して、第１シート１１と第２シート１２の外側縁を互いに連結する。
(2)  第３脱着連結具１Ｃの雄型連結具１ａと雌型連結具１ｂとを連結して、第１シート１１と第２シート１２の外側縁の上部を連結する。
(3)  互いに連結された第１シート１１と第２シート１２とをユーザーの下半身の前方に位置させる状態でユーザーの胴部に装着してエプロンとして使用する。
さらに、シート状に連結された第１シート１１と第２シート１２とをユーザーの上半身の後方に位置させる状態でユーザーの肩部に装着してマントとして使用することもできる。
【００４２】
〈第３の使用例〉
(1)  第１脱着連結具１Ａと第２脱着連結具１Ｂを連結することなく、第１シート１１と第２シート１２をユーザーに巻き付ける状態で第３脱着連結具１Ｃのみを連結する。
(2)  第１シート１１と第２シート１２の上部で第３筒部２３を形成し、この第３筒部２３を介してユーザーに装着する。
(3)  第１シート１１と第２シート１２のいずれか一方を前方に配置して、他方を後方に配置する状態として、第１シート１１と第２シート１２で前掛けと後掛けを構成する。
このとき、第３筒部２３をユーザーの胴部に配置して、第１シート１１と第２シート１２とで下半身を覆ってエプロンとして使用する。
また、第３筒部２３をユーザーの肩部に配置して、第１シート１１と第２シート１２とで上半身を覆ってマントとして使用することもできる。
【００４３】
［スカート又は着物用のカバーとして使用するとき］
(1)  図６に示すように、第１脱着連結具１Ａの雄型連結具１ａと第２脱着連結具１Ｂの雌型連結具１ｂとを連結して、第１シート１１と第２シート１２の内側縁を互いに連結する。第１シート１１と第２シート１２は、１枚のシート状に連結される。
(2)  連結された第１シート１１と第２シート１２をユーザーの身体に巻き付ける状態で、図７に示すように、第１脱着連結具１Ａの雌型連結具１ｂと第２脱着連結具１Ｂの雄型連結具１ａとを連結して、第１シート１１と第２シート１２の外側縁を互いに連結する。
この状態で、第１シート１１と第２シート１２は、全体でひとつの筒部である第４筒部２４を形成する。
(3)  さらに、第３脱着連結具１Ｃの雄型連結具１ａと雌型連結具１ｂとを連結して、第１シート１１と第２シート１２の上部で第３筒部２３を形成し、第４筒部２４と第３筒部２３とでユーザーの半身を被覆する。
【００４４】
さらに、本発明の他の多機能カバーの他の実施例を以下に示す。
図８ないし図１１に示す多機能カバーは、表面を防水加工してなる第１カバー３１と第２カバー３２と中間カバー３３とを備える。第１カバー３１と第２カバー３２と中間カバー３３は、前述の表面を防水加工してなるカバー材を、所定の形状に裁断したものである。
【００４５】
図８ないし図１０に示す多機能カバーは、第１カバー３１を上部に配置すると共に、第２カバー３２を下部に配置して、中間に中間カバー３３を配置している。図８に示す多機能カバーは、第１カバー３１と第２カバー３２の間に中間カバー３３を配設して、これらを互いに連結する状態でユーザーの前面に装着されるエプロンとして使用される。
【００４６】
第１カバー３１と第２カバー３２は、合同な形状であって、四角形の両側縁の上または下の端部に、両側方向に突出する突出部３４を有する形状としている。図８ないし図１０に示すように、第２カバー３２は、第１カバー３１を上下反転させたものであって、その形状及び構造において第１カバー３１と同じである。したがって、第１カバー３１と第２カバー３２には、同一のものが使用できる。
【００４７】
中間カバー３３は帯状であって、両端部の裏面に、第１カバー３１と第２カバー３２の一方、又は両方の突出部３４を収納する収納部３５を設けている。収納部３５は、中間カバー３３の両端部に設けられると共に、内側方向を開口しており、この開口部から第１カバー３１と第２カバー３２の突出部３４を挿通できるようにしている。この中間カバー３３は、第１カバー３１と第２カバー３２の一方、又は両方の突出部３４を収納部３５に収納して、これらを互いに連結する。
【００４８】
さらに、図９に示す中間カバー３３は、第１カバー３１及び第２カバー３２の突出部３４を収納部３５に収納した状態で、これらをしっかりと連結するために、連結バンド３６を備える。連結バンド３６は、一端を中間カバー３３の一方の収納部３５に固定すると共に他端に脱着具３７を固定しており、この脱着具３７を中間カバー３３の他方の収納部３５に設けた脱着具３７に連結して固定する構造としている。この脱着具３７には、面ファスナー、ホック、ボタン等が使用できる。この連結バンド３６は、図１０の矢印で示すように、第１カバー３１及び第２カバー３２の裏面に設けた挿通部３８に先端部を挿通する状態で脱着具３７同士を連結して、第１カバー３１及び第２カバー３２と中間カバー３３とをしっかりと連結する。
【００４９】
中間カバー３３は、連結部材３９を備え、この連結部材３９を介してユーザーの胴部に脱着できるようにしている。図に示す連結部材３９は、中間カバー３３を図において左右方向に貫通してなる装着ベルトである。装着ベルトは、両端に、脱着自在に連結される装着具４０を備える。装着具４０は、フック部４０Ａと係止部４０Ｂとからなり、フック部４０Ａを係止部４０Ｂに係止させて互いに連結される。中間カバー３３は、連結部材３９である装着ベルトをユーザーの胴部に巻き付ける状態で両端の装着具４０が連結されてユーザーに装着するようにしている。この構造の連結部材３９は、極めて簡単に脱着して装着できる特長がある。ただ、連結部材は、装着具をフック部と係止部以外の連結構造とすることもできる。さらに、連結部材は、中間カバーの両端に設けた連結紐として、この連結紐をユーザーの胴部に巻き付ける状態で結んで中間カバーを装着することもできる。
【００５０】
さらに、図８に示す中間カバー３３は、前面にポケット部４１を設けている。図の中間カバー３３は、本体シート４２の表面に表面シート４３を積層して、本体シート４２と表面シート４３との間にポケット部４１を設けている。表面シート４３は、両側縁と底縁を本体シート４２に連結して、上縁を連結することなく開口部としてポケット部４１を設けている。この中間カバー３３は、ポケット部４１に小物等を収納して便利に使用できる。
【００５１】
以上の多機能カバーは、図１０と図８に示すように第１カバー３１と第２カバー３２の一方、又は両方の突出部３４を中間カバー３３の収納部３５に収納すると共に、中間カバー３３の連結バンド３６を第１カバー３１と第２カバー３２の一方、又は両方に連結して、第１カバー３１と第２カバー３２の一方、又は両方と、中間カバー３３とを互いに連結する。この多機能カバーは、第１カバー３１と第２カバー３２の一方、又は両方と、中間カバー３３とを互いに連結する状態でユーザーの前面に装着して使用される。この多機能カバーは、図８に示すように、中間カバー３３の連結部材３９を胴部に装着して、第１カバー３１を上半身に、第２カバー３２を下半身に位置させてエプロンとなる。図に示す第１カバー３１は、ユーザーの首にかける吊り紐４４を連結している。この吊り紐４４は、第１カバー３１の裏側面であって上端部の両側に設けた挿通部４５に引掛具４６を介して配設している。
【００５２】
図８に示す多機能カバーは、中間カバー３３の上方に第１カバー３１を、下方に第２カバー３２を連結しているが、多機能カバーは、必ずしも第１カバーと第２カバーの両方を連結する必要はなく、第２カバーのみを中間カバーの下方に連結する状態でユーザーに装着してエプロンとして使用することもできる。
【００５３】
さらに、多機能カバーは、第１カバー３１と第２カバー３２と中間カバー３３とを分離する状態で、第１カバー３１と第２カバー３２の一方、又は両方を、図１１に示すように、履物カバーとして使用するように構成している。このことを実現するために、第１カバー３１と第２カバー３２は、雄型連結具１ａと雌型連結具１ｂとからなる脱着連結具１を備えている。この脱着連結具１には、前述の脱着連結具と同じ構造のものが使用できる。図の第１カバー３１と第２カバー３２は、ファスナーである脱着連結具１を備える。ファスナーである脱着連結具１は、前述の脱着連結具と同様に、開閉用の金具２を備える側を雄型連結具１ａとし、この雄型連結具１ａの金具２に挿入される挿入片３を端縁に備えている側を雌型連結具１ｂとしている。
【００５４】
第１カバー３１と第２カバー３２は、第１の側縁に沿って雄型連結具１ａを、第２の側縁に沿って雌型連結具１ｂをそれぞれ固定している。第１カバー３１は、図８において右側の側縁を第１の側縁とし、左側の側縁を第２の側縁としている。図８において、第２カバー３２は、第１カバー３１を上下反転したものなので、左側の側縁が第１の側縁となり、右側の側縁が第２の側縁となる。以下、第１カバー３１と第２カバー３２について、図１１に示す図面に基づいて詳述する。この図は、第１カバー３１を示している。第２カバー３２は、第１カバー３１と同一のものであるので、同じ構成要素については、同一の符号を付してその説明を省略する。
【００５５】
図１１に示す第１カバー３１は、脱着連結具１であるファスナーの金具２を上方から下方へと移動させると、雄型連結具１ａと雌型連結具１ｂとが互いに連結されるように配置している。図に示す第１カバー３１は、脱着連結具１を１本のファスナーとしている。このファスナーである脱着連結具１は、一方の側縁（図において右側）の上端に雄型連結具１ａを配置すると共に、他方の側縁（図において左側）の上端に雌型連結具１ｂを配置している。この構造の脱着連結具１は、１本のファスナーで雄型連結具１ａと雌型連結具１ｂとを構成するので、第１カバー３１と脱着連結具１との連結構造を簡単にできる特長がある。ただ、脱着連結具１は、必ずしも１本のファスナーとする必要はなく、第１の側縁から底縁にかけて雄型連結具１ａを配置し、第２の側縁から底縁にかけて雌型連結具１ｂを配置することもできる。さらに、脱着連結具１をファスナー以外の連結具とする構造においても、第１の側縁から底縁にかけて雄型連結具１ａを配置して、第２の側縁から底縁にかけて雌型連結具１ｂを配置する。
【００５６】
以上の構造の第１カバー３１と第２カバー３２は、図１２と図１３に示すように、ユーザーの足元に巻き付ける状態で雄型連結具１ａと雌型連結具１ｂとを連結して筒状に形成されて履物カバーとなる。第１カバー３１と第２カバー３２は、突出部３４側の筒部で履物の周縁部をカバーし、突出部３４と反対側の筒部でユーザーの足元をカバーする。さらに、図１１に示す第１カバー３１は、裏側面の下端部に裏地４７を設けている。この裏地４７は、第１カバー３１の突出部３４に位置して設けられた伸縮性を有する生地である。この裏地４７には、たとえば、ゴムバンドや、伸縮性のある布地、ゴム紐等を縫着してなる布地等が使用できる。この裏地４７は、中間部分を第１カバー３１に縫着して、両端部を伸縮できる構造としている。さらに、裏地４７は、両端部の互いに積層される位置に、互いに脱着できる脱着具４８を設けており、この脱着具４８を介して互いに連結できる構造としている。この脱着具４８には、好ましくは、面ファスナーが使用できる。このように、伸縮性を有する裏地４７を備える第１カバー３１と第２カバー３２は、図１２に示すように、裏地４７を履物に密着する状態で装着できるので、隙間から水が浸入して履物や足元が濡れるのを有効に防止できる特長がある。
【００５７】
この構造の第１カバー３１と第２カバー３２は、図１２に示すように、裏地４７を履物の周縁部である外周面に沿って巻き付ける状態で配置し、巻き付けた裏地４７の両先端部を脱着具４８で連結することによって、裏地４７を履物の外周面に密着させることができる。両先端部が脱着具４８で連結される裏地４７は、履物の外周面に沿うループ部を形成し、このループ部の内面を履物の外周面に密着させるからである。とくに、伸縮性を有する裏地４７は、伸長させた状態で履物に装着することにより、その収縮力で履物の表面に密着させることができる。このため、伸縮する裏地４７で形成されるループ部の収縮力で、第１カバー３１と第２カバー３２を履物にしっかりとずれないように装着できる。また、履物に巻き付けた裏地４７は、脱着具４８を外すことによって、簡単に履物から外すことができる。さらに、図示しないが、裏地で形成されるループ部の内面に吸着部材を設けて、この吸着部材を履物の外周面に吸着させることによって、より強い密着力でずれないように装着することもできる。
【００５８】
さらに、第１カバー３１と第２カバー３２は、図１４に示す構造とすることもできる。これらの図に示す第１カバー３１と第２カバー３２は、突出部３４側の端部であって、履物カバーとして使用するときに下側に位置する端部に伸縮シート５３を連結してループ部５２を設けている。このループ部５２について、図１５と図１６に基づいて詳述する。ただし、図１５と図１６は、第１カバー３１を示している。第２カバー３２は、第１カバー３１と同一のものであるのでその説明を省略する。また、図１４ないし図１６に示す第１カバー３１と第２カバー３２について、前述の第１カバー及び第２カバーと同じ構成要素については、同一の符号を付してその説明を省略する。
【００５９】
図１５と図１６に示す第１カバー３１は、突出部３４側の端部にループ部５２を設けるために、伸縮シート５３を連結している。伸縮シート５３は、伸縮性を有する素材で、たとえば、伸縮性のある生地や不織布、ゴム紐等を縫着してなる生地や不織布、ゴムバンド等が使用できる。図の伸縮シート５３は帯状で、この帯状のシートの両端を、第１カバー３１の裏面の中央部に連結してループ部５２を設けている。正確には、図の第１カバー３１は突出部３４側の端部の裏面に裏地４７を連結しているので、伸縮シート５２の両端は、裏地４７の裏面に連結している。このように、第１カバー３１の裏面に裏地４７を設ける構造は、第１カバー３１と裏地４７の両方で、水が履物に浸透するのを有効に防止できる。ただ、この裏地４７は、必ずしも必要ではない。裏地のない第１シートは、裏面に直接に伸縮シートを連結する。図の第１カバー３１は、伸縮シート５３の両端を第１カバー３１の裏地４７の中央部に連結して、伸縮シート５３と裏地４７の中央部とでループ部５２を構成している。ただ、ループ部は、帯状の伸縮シートの両端を連結してループ状としたものを、第１カバーまたは裏地の裏面に連結して設けることもできる。
【００６０】
さらに、図に示すループ部５２は、内周面の下端部に吸着部材５４を設けている。この吸着部材５４は、ループ部５２の内面を履物６０の外周面に、より強い吸着力で密着させるもので、弾性や粘着性に優れた素材で成形されるシート状あるいはマット状のもの、たとえば軟質のプラスチックシートやゴム状シート等のシート材を所定の幅に裁断したものが使用できる。シート材である吸着部材５４には、好ましくは、滑り止めマットや耐震マットとして市販されているシート材が使用できる。これらのシート材をループ部５２の内周面に接着して吸着部材５４とすることができる。ただ、吸着部材は、ループ部の内周面に、弾性や粘着性に優れたコーティング剤を塗布して設けることもできる。
【００６１】
この構造の第１カバー３１は、伸縮シート５３を伸長させて、ループ部５２を広げた状態で内側に履物６０を挿入し、収縮しようとする伸縮シート５３の収縮力で、ループ部５２の内面を履物６０の外周面に密着させる。すなわち、伸縮シート５３の収縮力で、第１カバー３１を履物６０にしっかりとずれないように装着できる。さらに、図の第１カバー３１は、ループ部５２の内周面に設けた吸着部材５４が履物６０の外周面に吸着するので、ループ部５２を履物６０の外周面により強い密着力で隙間なく密着できる。したがって、この構造の第１カバー３１は、ループ部５２を履物６０に密着する状態で装着させて、第１カバー３１が履物６０から外れるのを確実に防止できると共に、履物６０とループ部５２の間から水が浸入して履物６０や足元が濡れるのを有効に防止できる。とくに、吸着部材５４を備えるループ部５２は、伸縮シート５３の収縮力と吸着部材５４の吸着力との相乗効果で履物６０の外周面に確実に装着できるので、種々の履物、たとえば、スリッパやサンダル、草履等の履物であっても、しっかりと密着させて装着できる。
【００６２】
以上の構造の第１カバー３１と第２カバー３２は、図１６に示すように、ループ部５２に履物６０を挿入して連結した後、ユーザーの足元に巻き付ける状態で雄型連結具１ａと雌型連結具１ｂとを連結して筒状に形成されて履物カバーとなる。第１カバー３１と第２カバー３２は、突出部３４側の筒部で履物の外周をカバーし、突出部３４と反対側の筒部でユーザーの足元をカバーする。
【００６３】
さらに、本発明の多機能カバーは、図１７に示すように、第１カバー３１と第２カバー３２とを、両側縁及び底縁で連結してバッグとすることもできる。図に示す多機能カバーは、第１カバー３１の雄型連結具１ａと第２カバー３２の雌型連結具１ｂを連結し、第１カバー３１の雌型連結具１ｂと第２カバー３２の雄型連結具１ａを連結して全体を袋状に成形している。図に示す多機能カバーは、第１カバー３１と第２カバー３２とを連結する状態で外側に突出する突出部３４を内部に押し込む状態で内側に位置させて外形を四角形としている。この状態で使用する多機能カバーは、防水構造のバッグとして使用できる。さらに、図の一点鎖線で示すように、第１カバー３１と第２カバー３２の内面に設けた挿通部４５に吊り紐４４を連結してショルダーバッグやハンドバッグ、トートバッグとして使用することもできる。
【００６４】
さらに、本発明の多機能カバーは、図１８に示すように、第１カバー３１と第２カバー３２の底縁を連結片４９を介して連結して自転車のハンドルカバーとして使用することもできる。図１１に示す第１カバー３１の裏地４７は、図において左側の下端部に第１連結片４９Ａを下方に突出する状態で連結しており、この第１連結片４９の先端部に脱着具５０を固定している。さらに、第１カバー３１の裏地４７は、図において右側の下端部に脱着具５１を固定している。図に示す第１カバー３１は、この第１連結片４９Ａの脱着具５０、５１を面ファスナーとしているが、連結具は、フックやボタンとすることもできる。
【００６５】
この構造の多機能カバーは、図１８に示すように、第１カバー３１の第１連結片４９Ａの脱着具５０を第２カバー３２の脱着具５１に連結し、第２カバー３２の第２連結片４９Ｂの脱着具５０を第１カバー３１の脱着具５１に連結して互いに連結される。この多機能カバーは、第１カバー３１と第２カバー３２の連結部分を上向きの姿勢として、第１カバー３１と第２カバー３２を下方に垂らす状態で自転車のハンドル部分に掛けてハンドルカバーとして使用される。この位置に配設されるハンドルカバーは、たとえば、スカートを履いた女性が自転車を漕ぐときに、前方からスカートの内側が覗かれるのを有効に防止できる特長がある。
【００６６】
さらに、図１４に示す第１カバー３１と第カバー３２は、互いの裏地４７を脱着具５５を介して脱着できるようにしている。これらの脱着具５５は、第１の脱着具５５Ａと第２の脱着具５５Ｂからなる一対の連結具で、たとえば、ホック、面ファスナー、ボタン等である。図の第１カバー３１は、裏地４７の表面側に第１の脱着具５５Ａを、第２カバー３２は、裏地４７の裏面側に第２の脱着具５５Ｂを、それぞれ対向する位置に配置している。この構造の第１カバー３１と第カバー３２は、互いの裏地４７を脱着具５５を介して連結することができる。この多機能カバーも、図１８と同様に、自転車のハンドル部分に掛けてハンドルカバーとして使用できる。
【００６７】
さらに、以上の構造の多機能カバーは、ハンドルだけでなく、自転車のかご部に掛けて使用して、自転車用のかごカバーとして使用して盗難を有効に防止できる特長もある。また、以上の多機能カバーは、第１カバー３１と第２カバー３２の表面を防水加工しているので、防水カバーとしても有効に使用できる。
【図面の簡単な説明】
【００６８】
【図１】本発明の一実施例にかかる多機能カバーの展開図である。
【図２】図１に示す多機能カバーの使用状態を示す斜視図である。
【図３】図１に示す多機能カバーの使用状態を示す斜視図である。
【図４】図１に示す多機能カバーの使用状態を示す斜視図である。
【図５】脱着連結具の一例を示す拡大正面図である。
【図６】図１に示す多機能カバーの他の使用状態を示す正面図である。
【図７】図１に示す多機能カバーの他の使用状態を示す斜視図である。
【図８】本発明の一実施例にかかる多機能カバーの正面図である。
【図９】図８に示す多機能カバーの分解背面図である。
【図１０】図９に示す多機能カバーを連結する状態を示す背面図である。
【図１１】図９に示す多機能カバーの第１カバーの拡大正面図である。
【図１２】図９に示す多機能カバーの他の使用例を示す斜視図である。
【図１３】図９に示す多機能カバーの他の使用例を示す斜視図である。
【図１４】本発明の他の実施例にかかる多機能カバーの分解背面図である。
【図１５】図１４に示す多機能カバーの第１カバーの斜視図である。
【図１６】図１５に示す多機能カバーを履物に装着する状態を示す斜視図である。
【図１７】図９に示す多機能カバーの他の使用例を示す斜視図である。
【図１８】図９に示す多機能カバーの他の使用例を示す斜視図である。
【符号の説明】
【００６９】
１…脱着連結具          １Ａ…第１脱着連結具
１Ｂ…第２脱着連結具
１Ｃ…第３脱着連結具
１ａ…雄型連結具
１ｂ…雌型連結具
２…金具
３…挿入片
４…嵌合部
５…布地部
１１…第１シート
１２…第２シート
１３…連結部
１４…袋部
１５…ゴム紐
１６…連結紐
２１…第１筒部
２２…第２筒部
２３…第３筒部
２４…第４筒部
３１…第１カバー
３２…第２カバー
３３…中間カバー
３４…突出部
３５…収納部
３６…連結バンド
３７…脱着具
３８…挿通部
３９…連結部材
４０…装着具            ４０Ａ…フック部
４０Ｂ…係止部
４１…ポケット部
４２…本体シート
４３…表面シート
４４…吊り紐
４５…挿通部
４６…引掛具
４７…裏地
４８…脱着具
４９…連結片            ４９Ａ…第１連結片
４９Ｂ…第２連結片
５０…脱着具
５１…脱着具
５２…ループ部
５３…伸縮シート
５４…吸着部材
５５…脱着具            ５５Ａ…第１の脱着具
５５Ｂ…第２の脱着具
６０…履物
【図１】
2006097219.tif 000003
【図２】
2006097219.tif 000004
【図３】
2006097219.tif 000005
【図４】
2006097219.tif 000006
【図５】
2006097219.tif 000007
【図６】
2006097219.tif 000008
【図７】
2006097219.tif 000009
【図８】
2006097219.tif 000010
【図９】
2006097219.tif 000011
【図１０】
2006097219.tif 000012
【図１１】
2006097219.tif 000013
【図１２】
2006097219.tif 000014
【図１３】
2006097219.tif 000015
【図１４】
2006097219.tif 000016
【図１５】
2006097219.tif 000017
【図１６】
2006097219.tif 000018
【図１７】
2006097219.tif 000019
【図１８】
2006097219.tif 000020